(57)【要約】      （修正有）【課題】密封包装済ドリンクカップにかぶせるドリンクキャップの上に他のカップを搭載・固定でき、ドリンクカップ内のドリンクをストローで飲用できる密封包装済ドリンクカップ用容器トレー付きドリンクキャップ及び専用搭載容器を提供する。【解決手段】プラスティックや紙等でできフィルム等で密封された広口で円筒形のドリンクカップにかぶせるプラスチック等でできたドリンクキャップにおいて、そのドリンクキャップの上部に、内壁に立体凹面を有するトレー部が設けられている。搭載容器の外壁には、トレー部の立体凹面と重なり合う立体凸面が設けられる。【選択図】図１
0003163958.tif 000002
【実用新案登録請求の範囲】
【請求項１】
プラスティックや紙等でできフィルム等で密封された広口で円筒形のドリンクカップにかぶせるプラスチック等でできたドリンクキャップ（上ぶた）において、そのドリンクキャップの上部に他のカップなどの容器を搭載・固定することができるようにキャップのカップへの設置部からキャップの上端の距離を長くとってキャップ上部に容器を搭載・固定するのに十分な深さを持ったくぼみ（トレー部）が設けられていることを特徴とする密封包装済ドリンクカップ用容器トレー付きドリンクキャップ。
【請求項２】
前記密封包装済カップ用容器トレー付きドリンクキャップにおいてトレー部側壁外側とキャップ外壁内側との間にストローの通るスペースが確保され、キャップ上部の円周状平面部にはストロー穴が設けられていることを特徴とする上記密封包装済みドリンクカップ用容器トレー付きドリンクキャップ。
【請求項３】
前記請求項１及び請求項２にかかる密封包装済カップ用容器トレー付きドリンクキャップにおいてそのトレー部内壁に立体凹面を設け、搭載するカップの外壁には立体凸面を設けることによって、本考案に係るキャップに本考案に係るカップを搭載した際に上記凹面と凸面とがはまってキャップとカップが固定されるような請求項１及び請求項２記載の密封包装済ドリンクカップ用容器トレー付きドリンクキャップ及び専用搭載容器。
【考案の詳細な説明】
【技術分野】
【００１】  本考案は密封包装済ドリンクカップ上部に他の容器を搭載できるくぼみ（トレー部）とストローの通るスペース及びストロー穴及びカップを固定するトレー部内壁立体凹面を備えるドリンクキャップ並びに上記ドリンクキャップに対応する専用搭載容器に関するものである。
【技術背景】
【００２】  密封包装済ドリンクカップのふたとしてのドリンクキャップ（保存・小売販売等ができるようにドリンク等を広口・円筒状のプラスチックカップ等に注入しその上面をビニールやアルミ箔等で密封包装した密封包装済ドリンクカップの上面全体にかぶせる主にプラスチック製の上ぶた）は、包装面の保護、包装面の衛生確保、ドリンクのこぼれ防止、不純物の混入防止、ドリンクカップの積み置きを可能にする等の効能を持つものとしてすでに一般的に広く汎用され、公知のものとなっている。又、その上面には通常ストロー穴があり、そこからストローを通してカップ内のドリンクを飲用することができるが、この事も、一般的に広く知られている。
【先行技術文献】
【特許文献】
【００３】  本考案の改良の対象である密封包装済ドリンクカップ用ドリンクキャップは、密封包装された広口・円筒状のプラスチック製のカップにかぶせる上部全体を覆うものであり、さまざまな効果を持つものであるが、広く汎用され、一般に公知のものとなっており、また構造も単純であるため、特筆すべき該当文献なし。
【非特許文献】
【００４】  上部に容器が搭載可能な容器トレー付きドリンクキャップについては、本平成２２年４月２６日付実用新案登録願出願者本人により、平成２２年４月４日提出、受付番号２１０００６４０１１８の実用新案登録願によってすでに出願中のものとなっているが、上記４月４日出願の実用新案登録願に係る考案は主に飲食店でのドリンク及びデザートの提供を想定したものである。
【考案の概要】
【考案が解決しようとする課題】
【００５】  小売店等で販売されている、ドリンクが注入され密封包装された広口・円筒状のドリンクカップの上面にかぶせられているドリンクキャップは、広く利用されており、そのキャップは包装面の保護、包装面の衛生確保、ドリンクカップの積み置き可能化等さまざまな用途及び効能を持つが、そのキャップの上にデザート等の入ったカップを搭載設置してドリンクカップの上に搭載されたカップ内のデザートを食し、かつその状態でストローを通して下部に位置するドリンクカップ内のドリンクを飲用できるようにし、ちょっとした移動や、狭いスペースでの定置、ドリンクとデザートを新しいスタイルで飲食して楽しむ事等が可能となるような構造を持った密封包装済ドリンクカップ用ドリンクキャップは見あたらない。また、上記［００４］にて記したように飲食店でのドリンクやデザートを想定して、本出願者により既に容器トレー付きドリンクキャップとして上部に容器が搭載可能なドリンクキャップが４月４日提出実用新案登録願により出願中となっており、その既出願中の容器トレー付きドリンクキャップはドリンクキャップ上に容器搭載可能なトレー部を設ける点で本考案と共通するが、既出願中の考案は改良の主な対象を飲食店等で使われる密封包装されていないドリンクカップようのキャップとしており既出願中の考案における改良後の容器トレー付きドリンクキャップの用途も主に飲食店での使用を想定しているので、密封包装され、その包装フィルム部にストロー等をさして中のドリンクを飲用するようになっている密封包装済ドリンクカップへの取り付けを想定したドリンクカップを形成するにはトレー部の位置、ストローの通るスペースの位置、上に載せるカップのキャップトレー部への固定の簡易な方法の必要性等、構造上改良・改変の必要な点が多くある。
【課題を解決するための手段】
【００６】  そこで本考案は、以上の課題を解決すべく、密封包装済ドリンクカップにかぶせるドリンクキャップの上に他のカップを搭載・固定できるような密封包装済ドリンクカップ用容器トレー付きドリンクキャップ及び専用搭載容器を提供することを目的とした。【００７】  本考案は密封包装されたドリンクカップにかぶせるドリンクキャップにおいて、その上部に他の容器が搭載可能なくぼみ（トレー部）を設けたことを特徴とする。そのトレー部の底面はドリンクカップに設置したときに密封包装のフィルム面と重なるかそれより上に位置するようにする。【００８】  またそのキャップ上部の円周状平面部にストロー穴を設けられる幅をとり、トレー部側壁外側とドリンクキャップ外壁内側の間にストローの通るスペースを設けたことを特徴とする。【００９】  また、トレー部内壁に立体凹面をもうけ、上に載せるカップについては、トレー部内壁の立体凹面に対応した、カップ外壁立体凸面を持つ専用搭載容器を設定したことを特徴とする。【０１０】  また、本考案に係る密封包装済ドリンクカップ用容器トレー付きドリンクキャップは上部にデザート入りの比較的小さめのカップを搭載・固定できるように、適度な強度を持つものであることが望ましい。【０１１】  また、本考案に係る密封包装済ドリンクカップ用容器トレー付きドリンクキャップを取り付けるドリンクカップには、比較的強度の強いものを使用し、また転倒防止のために、底面が広く安定性のあるドリンクカップを使用し、また、十分な長さのストローを使用することが望ましい。
【考案の効果】
【０１２】  以上の本考案の特徴により、本考案に係る密封包装済ドリンクカップ用容器トレー付きドリンクキャップ及び専用搭載容器を使用することによって、密封包装済ドリンクカップの上に、本考案に係る密封包装済ドリンクカップ用容器トレー付きドリンクキャップを介してデザート等の入った専用搭載容器を搭載・固定することが可能になり、その状態で二つのカップを同時に片手で持ったり、運んだり、また、一つのカップホルダー等の狭い場所に同時に二つのカップを定置することができ、また、上にデザート等の内容物の入った専用搭載容器を搭載した状態で、ストローをキャップと密封包装フィルムに貫通させて下のドリンクカップ内のドリンクを飲用することができるようになる。加えてデザート容器の底面が密封包装フィルムやストロー及びストローの穴や通る部分に触れないので衛生的である。【０１３】  以上によって、本考案の解決しようとする課題が解決されドリンクやデザートを飲食する際の運搬や定置の利便性が向上し、また、ドリンクとデザートの新しいスタイルと簡易な方法での飲食の楽しみ方を提供し、また本考案に係る密封包装済ドリンクキャップ用容器トレー付きドリンクキャップ及び専用搭載容器を使用したドリンク商品やデザート商品をそれぞれ複数設定することによって、消費者が自分の欲求や嗜好にあわせてそのドリンク商品やデザート商品を選択・組み合わせをして購入・飲食できるようになる。
【図面の簡単な説明】
【０１４】
【図１】本考案に係る密封包装済ドリンクカップ用容器トレー付きドリンクキャップに専用搭載容器を搭載・固定した一例を斜め上から見た概略図である。
【図２】本考案に係る密封包装済ドリンクカップ用容器トレー付きドリンクキャップに専用搭載容器を搭載・固定したものを空の密封包装済ドリンクカップの上に取りつけたものの一例の概略垂直断面図である。
【図３】本考案に係る密封包装済ドリンクカップ用容器トレー付きドリンクキャップにフルーツゼリーの入ったデザート専用搭載容器を搭載・固定したものをアイスティーの入った密封包装済ドリンクカップの上に取りつけた具体的使用の一例を斜め上から見た概略図である。
【実施例】
【０１５】  以下に本考案に係る密封包装済ドリンクカップ用容器トレー付きドリンクキャップ及び専用搭載容器の実施例を図１乃至図３にもとづいて説明する。【０１６】  図１は本考案に係る密封包装済ドリンクカップ用容器トレー付きドリンクキャップ（透明プラスチック製）に専用搭載容器を搭載・固定したものの一例を斜め上からみた概略図であり１は密封包装済ドリンクカップ用容器トレー付きドリンクキャップであり、２は専用搭載容器、３はトレー部側面、４はトレー部底面、である。５のドリンクキャップ外壁の高さを十分にとることで、トレー部の深さを十分にとれるようにする。またトレー部側面内壁の立体凹部（図２の１２）と専用搭載容器外壁の立体凸部（図２の１３）が６の部分ではまって重なりキャップと専用搭載容器が固定されている。また７のキャップ上面の周辺平面部の幅及び８のトレー部側面とキャップ外壁との間のスペースを十分にとって９のストロー穴からキャップ下になるドリンクカップへストローを通せるようにする。１０のキャップ下部の縁の部分が下になるカップの縁に外周全体にわたって載り、１１のキャップ下部接合部外壁周りに断続的に連なっている固定用の溝でキャップとドリンクカップを固定する。【０１７】  図２は本考案に係る密封包装済ドリンクカップ用容器トレー付きドリンクキャップに専用搭載容器を搭載・固定したものを空の密封包装済ドリンクカップの上に取り付けた一例の垂直断面外略図である。１の密封包装済ドリンクカップ用容器トレー付きドリンクキャップに２の専用搭載容器が搭載されたものが１４の空の密封包装済ドリンクカップの上に取り付けられている。ドリンクキャップと専用搭載容器はドリンクキャップトレー部側面内壁の立体凹部１２に専用搭載容器外壁の立体凸部１３が容器外壁周り全体にわたってはまって重なって固定されるがこれらの立体凹凸部はいずれかあるいは両方が断続的なものでも良い。ドリンクカップの縁１６にキャップ下部の縁の部分１０が載り１１のキャップ下部接合部外壁周りに断続的に連なっている固定用の溝によってキャップとドリンクカップ固定されている。キャップをドリンクカップに取り付けた際にはキャップのトレー部底面４は密封包装フィルム１５と重なるかそれより上に位置している。ドリンクを飲用するためのストローは９のストロー穴から入り、８のトレー部側面とキャップ外壁との間のスペースを通り１５の密封包装フィルムを突き破ってドリンクカップ１４内に至ることになる。【０１８】  図３は、本考案に係る密封包装済容器トレー付きドリンクキャップ１にデザートの入った専用搭載容器２を搭載・固定したものをドリンクの入った密封包装済ドリンクカップ１４の上に取りつけた具体的使用の一例を示したものである。２の専用搭載容器にはフルーツゼリー１７が入っており、１４のドリンクカップにはアイスティー１８がはいっている。ストロー１９はストロー穴９から入って２０の箇所で密封包装フィルム１５を突き破って下のドリンクカップ１４内のアイスティー１８が飲用できるようになる。
【図１】
0003163958.tif 000003
【図２】
0003163958.tif 000004
【図３】
0003163958.tif 000005
【手続補正書】
【提出日】平成22年6月25日(2010.6.25)
【手続補正１】
【補正対象書類名】実用新案登録請求の範囲
【補正対象項目名】全文
【補正方法】変更
【補正の内容】
【実用新案登録請求の範囲】
【請求項１】
プラスティックや紙等でできフィルム等で密封された広口で円筒形のドリンクカップにかぶせるプラスチック等でできたドリンクキャップ（上ぶた）において、そのドリンクキャップの上部に他のカップなどの容器を搭載・固定することができるようにキャップのカップへの設置部からキャップの上端の距離を長くとってキャップ上部に容器を搭載・固定するのに十分な深さを持ったくぼみ（トレー部）が設けられていることを特徴とする密封包装済ドリンクカップ用容器トレー付きドリンクキャップ。
【請求項２】
前記密封包装済ドリンクカップ用容器トレー付きドリンクキャップにおいてそのトレー部側壁外側とキャップ外壁内側との間にストローの通るスペースが確保され、キャップ上部の円周状平面部にはストロー穴が設けられていることを特徴とする請求項１記載の密封包装済みドリンクカップ用容器トレー付きドリンクキャップ。
【請求項３】
前記請求項１または請求項２記載の密封包装済カップ用容器トレー付きドリンクキャップにおいてそのトレー部内壁に立体凹面を設け、そのトレー部に搭載する容器の外壁には上記密封包装済カップ用容器トレー付きドリンクキャップのトレー部内壁に設けられた立体凹面と重なり合う形状を持つ立体凸面を設けることによって、上記のトレー部内壁に立体凹面が設けられた密封包装済ドリンクカップ用容器トレー付きドリンクキャップに、上記の外壁に立体凸面が設けられた容器を搭載した際に、上記のトレー部内壁の立体凹面と上記の搭載容器の外壁立体凸面とがはまって、上記のトレー部内壁に立体凹面を持つ密封包装済ドリンクカップ用容器トレー付きドリンクキャップとそのトレー部に搭載する上記の外壁立体凸面を持つ容器を固定することを可能にするような上記トレー部内壁立体凹面を持つことを特徴とする請求項１または請求項２記載の密封包装済ドリンクカップ用容器トレー付きドリンクキャップ。
【請求項４】
前記請求項１または請求項２記載の密封包装済カップ用容器トレー付きドリンクキャップにおいてそのトレー部内壁に立体凹面を設け、そのトレー部に搭載する容器の外壁には上記密封包装済カップ用容器トレー付きドリンクキャップのトレー部内壁に設けられた立体凹面と重なり合う形状を持つ立体凸面を設けることによって、上記のトレー部内壁に立体凹面が設けられた密封包装済ドリンクカップ用容器トレー付きドリンクキャップに、上記の外壁に立体凸面が設けられた容器を搭載した際に、上記のトレー部内壁の立体凹面と上記の搭載容器の外壁立体凸面とがはまって、上記のトレー部内壁に立体凹面を持つ密封包装済ドリンクカップ用容器トレー付きドリンクキャップとそのトレー部に搭載する上記の外壁立体凸面を持つ容器を固定することを可能にするような上記搭載容器外壁立体凸面を持ち、請求項３のトレー部内壁立体凹面を持つことを特徴とする請求項１または請求項２記載の密封包装済ドリンクカップ用容器トレー付きドリンクキャップに対応して、請求項３のトレー部内壁に立体凹面を持つことを特徴とする請求項１または請求項２記載の密封包装済ドリンクカップ用容器トレー付きドリンクキャップとそのトレー部に搭載する上記の外壁立体凸面を持つ搭載容器を固定することを可能にするような上記外壁立体凸面を持つことを特徴とする搭載容器たる専用搭載容器。
【手続補正書】
【提出日】平成22年8月21日(2010.8.21)
【手続補正１】
【補正対象書類名】実用新案登録請求の範囲
【補正対象項目名】請求項４
【補正方法】変更
【補正の内容】
【請求項４】
請求項３に記載の密封包装済ドリンクカップ用容器トレー付ドリンクキャップに搭載される搭載容器であって、外壁に、前記トレー内部の前記立体凹面と重なり合う立体凸面が設けられ、前記立体凹面と前記立体凸面とがはまって、前記トレー内部に固定されることを特徴とする搭載容器。